(57)【要約】【課題】端末を機能設定モードにする操作を覚えていなくとも、端末を簡単且つ迅速に所望の機能設定モードにすること。【解決手段】例えば携帯電話機のような無線通信端末１において、着信音の音量を設定する機能設定モードにしたい時、ヘルプキー１２１を押下することにより、設定モード検索画面を表示部１１に表示した後、例えば、「ちゃくしんおん」という検索キーワードを携帯電話機に入力すると、携帯電話機は着信音の音量を設定する機能設定モードに移行する。この設定モードによりユーザーはキー操作部１２のキーを操作して着信音を所望の音量に設定する。【選択図】  図１
2004208196.tif 000002
【特許請求の範囲】
【請求項１】
検索キーワードを入力するステップと、
前記入力された検索キーワードに対応する機能設定モードを検索し、装置のモードを該検索された機能設定モードに移行させるステップと、
を具備することを特徴とする機能設定モード検索方法。
【請求項２】
前記検索キーワードとしてひらがな文字列を入力することを特徴とする請求項１に記載の機能設定モード検索方法。
【請求項３】
前記入力された検索キーワードを仮名漢字変換するステップを具備し、
前記仮名漢字変換結果に対応する機能設定モードに装置を移行させることを特徴とする請求項２に記載の機能設定モード検索方法。
【請求項４】
各種の機能設定を行える電子機器に搭載されて電子機器を機能設定モードに移行させる機能設定モード検索装置において、
検索キーワードとしてひらがな文字列を入力する入力手段と、
前記入力された検索キーワードを仮名漢字変換する変換手段と、
前記仮名漢字変換結果に対応する機能設定モードを検索し、前記電子機器のモードを該検索された機能設定モードに移行させる制御手段と、
を具備することを特徴とする機能設定モード検索装置。
【請求項５】
前記制御手段は、漢字混じり文字列に対応する機能設定モードを格納した辞書を備え、
前記仮名漢字変換結果を前記辞書に照合して対応する機能設定モードを検索し、この検索した機能設定モードに前記電子機器を移行させることを特徴とする請求項４に記載の機能設定モード検索装置。
【請求項６】
各種の機能設定を行える電子機器に搭載されて電子機器を機能設定モードに移行させる機能設定モード検索装置において、
検索キーワードとしてひらがな文字列を入力する入力手段と、
前記入力された検索キーワードに対応する機能設定モードを検索し、前記電子機器のモードを該検索された機能設定モードに移行させる制御手段と、
を具備することを特徴とする機能設定モード検索装置。
【請求項７】
前記制御手段は、ひらがな文字列に対応する機能設定モードを格納した辞書を備え、
前記入力された検索キーワードを前記辞書に照合して対応する機能設定モードを検索し、この検索した機能設定モードに前記電子機器を移行させることを特徴とする請求項６に記載の機能設定モード検索装置。
【請求項８】
前記電子機器を通信ネットワークに接続するネットワーク接続手段と、
前記通信ネットワーク上から旧バージョンの辞書データをダウンロードして前記電子機器に元々搭載されている現バーションの辞書データに置き換えるダウンロード手段とを具備することを特徴とする請求項５又は７に記載の機能設定モード検索装置。
【請求項９】
前記旧バージョンの辞書データをダウンロードする際に、前記電子機器に元々搭載されている現バージョンの辞書データの一部を残すことを特徴とする請求項８に記載の機能設定モード検索装置。
【発明の詳細な説明】
【０００１】
【発明の属する技術分野】
本発明は、携帯電話機などの無線通信端末に係り、特に無線通信端末に搭載されている各種機能の設定を行う設定モードに無線通信端末を移行させる機能設定モード検索装置及び機能設定モード検索方法に関する。
【０００２】
【従来の技術】
従来より、無線通信端末のひとつである携帯電話機（以降、携帯電話と略称する）が普及し、携帯電話を所持している人は電話通信を何時でもどこででも簡単にできるようになって、電話通信の利便性が飛躍的に向上している。これに伴い、携帯電話には各種機能が搭載され、その機能を設定する設定モードも多数となっている。例えば受話音量設定、着信音設定、ドライブモード設定、着信バイブレータ設定、伝言メモ設定、留守録設定、電話帳登録設定等の各種機能の設定モードがある。
【０００３】
このような各種機能の設定の際、機能検索の負担を軽減するために階層的に機能設定メニューを表示したり、直感的に関連機能グループから機能検索を可能にするものがある（例えば、特許文献）。
【０００４】
【特許文献】
特開２００２−２７０８２号公報（第４頁、第６図）
【０００５】
【発明が解決しようとする課題】
しかしながら、このように直感的に関連グループから機能検索が可能であっても、機能によっては同じ機能であっても通信サービス会社やメーカーによって名称が異なっていることがあり、上記のような階層的な機能設定メニューを表示させてもユーザーが普段使い慣れている機能名称の表現と一致しないことがあった。このような問題から、ユーザーが必要とするときに直ちに所望の機能を確認したり、設定したりすることは非常に困難であった。
【０００６】
本発明は、上述の如き従来の課題を解決するためになされたもので、その目的は、端末を各種機能設定モードにする夫々の操作を覚えていなくとも、端末を簡単且つ迅速に所望の機能設定モードに移行させることができる機能設定モード検索装置、機能設定モード検索方法及び無線通信端末を提供することである。
【０００７】
【課題を解決するための手段】
この発明の手段は以下の通りである。
【０００８】
請求項１の発明は、検索キーワードを入力するステップと、前記入力された検索キーワードに対応する機能設定モードを検索し、装置を該検索された機能設定モードに移行させるステップとを具備することを特徴とする。
【０００９】
上記発明により、例えば装置を、着信音の音量を設定する機能設定モードにしたい時、「ちゃくしんおん」という検索キーワードを装置に入力すると、装置は着信音を設定するモードに移行するため、ユーザーはこの設定モードで所望の音量に着信音を設定する。
【００１０】
請求項２の発明は、前記請求項１において、前記検索キーワードとしてひらがな文字列を入力することを特徴とする。
【００１１】
上記発明により、検索キーワードとしてひらがな文字列を入力すると、装置は対応する機能設定モードに移行する。
【００１２】
請求項３の発明は、前記請求項２において、前記入力された検索キーワードを仮名漢字変換するステップを具備し、前記仮名漢字変換結果に対応する機能設定モードに装置を移行させることを特徴とする。
【００１３】
上記発明により、検索キーワードとしてひらがな文字列を入力してそれを仮名漢字変換すると、装置は仮名漢字変換結果である漢字混じり文字列に対応する機能設定モードに移行する。
【００１４】
請求項４の発明は、各種の機能設定を行える電子機器に搭載されて電子機器を機能設定モードに移行させる機能設定モード検索装置において、検索キーワードとしてひらがな文字列を入力する入力手段と、前記入力された検索キーワードを仮名漢字変換する変換手段と、前記仮名漢字変換結果に対応する機能設定モードを検索し、前記電子機器のモードを該検索された機能設定モードに移行させる制御手段とを具備することを特徴とする。
【００１５】
上記発明により、検索キーワードとしてひらがな文字列を装置に入力してそれを仮名漢字変換すると、電子機器は仮名漢字変換結果である漢字混じり文字列に対応する機能設定モードに移行する。
【００１６】
請求項５の発明は、前記請求項４において、前記制御手段は、漢字混じり文字列に対応する機能設定モードを格納した辞書を備え、前記仮名漢字変換結果を前記辞書に照合して対応する機能設定モードを検索し、この検索した機能設定モードに前記電子機器を移行させることを特徴とする。
【００１７】
上記発明により、検索キーワードとしてひらがな文字列を入力してそれを仮名漢字変換すると、仮名漢字変換結果である漢字混じり文字列に対応する機能設定モードを辞書により検索し、電子機器はこの検索した機能設定モードに移行する。
【００１８】
請求項６の発明は、各種の機能設定を行える電子機器に搭載されて電子機器を機能設定モードに移行させる機能設定モード検索装置において、検索キーワードとしてひらがな文字列を入力する入力手段と、前記入力された検索キーワードに対応する機能設定モードを検索し、前記電子機器のモードを該検索された機能設定モードに移行させる制御手段とを具備することを特徴とする。
【００１９】
上記発明により、検索キーワードとして入力されたひらがな文字列を装置に入力すると、電子機器はこのひらがな文字列に対応する機能設定モードに移行する。
【００２０】
請求項７の発明は、前記請求項６において、前記制御手段は、ひらがな文字列に対応する機能設定モードを格納した辞書を備え、前記入力された検索キーワードを前記辞書に照合して対応する機能設定モードを検索し、この検索した機能設定モードに前記電子機器を移行させることを特徴とする。
【００２１】
上記発明により、検索キーワードとしてひらがな文字列を入力すると、この文字列に対応する機能設定モードを辞書より検索し、電子機器はこの検索した機能設定モードに移行する。
【００２２】
請求項８の発明は、前記請求項５又は７において、前記電子機器を通信ネットワークに接続するネットワーク接続手段と、前記通信ネットワーク上から旧バージョンの辞書データをダウンロードして前記電子機器に元々搭載されている現バーションの辞書データに置き換えるダウンロード手段とを具備することを特徴とする。
【００２３】
上記発明により、例えば携帯電話機を旧機種から新機種に取り替えた場合、インターネットなどのネットワーク上にある所定のサイトにアクセスした後、このサイトから旧機種で使用されていた辞書データをダウンロードして新機種の携帯電話機のメモリエリアに格納しておき、その後、旧機種で使い慣れたキーワードを入力すると、携帯電話機は対応する設定モードに移行する。
【００２４】
請求項９の発明は、前記請求項８において、前記旧バージョンの辞書データをダウンロードする際に、電子機器に元々搭載されている現バージョンの辞書データの一部を残すことを特徴とする。
【００２５】
上記発明により、現バージョンの辞書データの一部はダウンロードした旧バージョンの辞書と一体になり、これにより、新たな機能を連想する検索キーワードを入力すると、新機種の電子機器は新たに付け加えられた機能の設定モードに移行する。
【００２６】
【発明の実施の形態】
以下、本発明の実施の形態を図面に基づいて説明する。図１は、本発明の第１の実施の形態に係る無線通信端末の構成例を示した平面図と背面図である。無線通信端末（携帯電話機）１は二つ折りタイプであり、図１（ａ）は蓋を開いた状態の表側を示し、図１（ｂ）は蓋を開いた状態の背面を示している。
【００２７】
図１（ａ）において、無線通信端末１は、図形や画像などの各種情報を表示する液晶の表示部１１、各種情報の入力や機能指示などを行うキー操作部１２、送話音声を集音するマイク１３、受話音声を出力するスピーカ１４、携帯用の無線プロトコルで使用する周波数帯に対応する通信用のアンテナ１５を備えている。
【００２８】
図１（ｂ）において、蓋が閉じた状態でも簡単なメッセージをユーザーに知らせるためのサブ表示部１６、着信或いは警告などを報知する報知用ＬＥＤ１７、被写体を撮影する撮影レンズ１８、着信音或いは警告音などを出力する報知用スピーカ１９を有している。
【００２９】
図２は、図１に示した無線通信端末１の回路構成例を示した回路図である。無線通信端末１の回路は、無線通信端末１の個別動作及び全体の動作を制御する制御部２１、無線通信端末として必要な各種データを記憶し且つ、制御部２１が動作する上で必要なデータを記憶するＲＡＭ２２、制御部２１を制御する各種プログラムなどを記憶するシステムＲＯＭ２３、キー操作部１２のキー押下情報を入力するキー入力部２４、表示部１１を駆動して各種情報を表示させる表示ドライバ（バッファ）２５、各種の音声信号を生成して報知用スピーカ１９より出力する音源回路部２６、報知用ＬＥＤ１７及び着信を振動で知らせる振動発生器２７を駆動するドライバ２８、アンテナ１５を介して基地局（不図示）と無線により音声やデータを送受する無線送受信部２９、無線送受信部２９で受信した音声やデータを復調し或いは、無線送受信部２９から送信する音声やデータを変調するなどの無線通信に必要な処理をする無線信号処理部３０、マイク１３から入力された音声信号を符号化処理したり或いは、受話音声信号を復号化する音声信号処理部３１、ユーザーによる各種の設定情報などを記憶する書き替え可能なＲＯＭ（フラッシュＲＯＭ）３２、表示部（サブ）１６を駆動して簡単なメッセージを表示させる表示ドライバ３３、撮影レンズ１８により決像した画像をＣＣＤなどで電気信号にする撮像部３４、撮像部３４から得られた電気信号を画像信号にするＤＳＰ３５を有し、これら部品がバス５０により相互に接続されている。
【００３０】
図３は図２に示したＲＯＭ３２の構成例を示した模式図である。ＲＯＭ３２は、ユーザー情報（後述するフラグ等）を登録するユーザー情報登録エリア３２１、検索キーワードにより無線通信端末１を対応する設定モードに移行させるプログラムを格納する検索プログラム格納エリア３２２、入力されたひらがな文字列を仮名漢字混じり文字列に変換するプログラムを格納する日本語変換プログラム格納エリア３２３、ひらがな文字列を仮名漢字文字列に変換するためのメイン辞書データを格納するメイン辞書格納エリア３２４、検索キーワードと対応する設定モードとの関係を示したサブ辞書を格納するサブ辞書格納エリア３２５、無線通信端末１のモードを示すモードフラグを立てるモードフラグ格納エリア３２６、各種アプリケーションプログラムを格納するアプリケーション格納エリア３２７を有している。
【００３１】
図４は図３に示したサブ辞書格納エリア３２４に格納されている情報例を示した模式図である。後述する検索キーワードの日本語変換結果に対応して無線通信端末１を制御する内容が記憶されている。例えば、検索キーワード「着信音ｏｒ着メロ」に対する制御内容として「着信設定モード移行」が記載されている。
【００３２】
次に本実施の形態の動作について図５に示したフローチャートを参照して説明する。ユーザーは、例えば着信音設定モードにしたい時、キー操作部１２のヘルプキー１２１を押下する。制御部２１はステップＳ１で、ヘルプキー１２１の押下をキー入力部２４を介して検出するとステップＳ２に進み、検出しない場合はリターンして待ち受け状態になる。
【００３３】
制御部２１はステップＳ２で、ＲＯＭ３２の３２２エリアから検索プログラムを、３２３エリアから日本語変換プログラムを読み出してＲＡＭ２２にロードし、以降、これらプログラムを実行し、ステップＳ３で、図６（ａ）に示すような検索キーワード入力フォームを表示ドライバ２５により表示部１１に表示する。
【００３４】
ここで、図６はキー操作部１２のヘルプキー１２１を押した時に表示部１１に表示されるヘルプ機能画面例で、中央に検索キーワードを入力するための枠６１があり、その下に入力した検索キーワードで検索を実行させるための検索ボタン６２が設けられている。
【００３５】
ユーザーはこの図６（ａ）の画面を見て、キー操作部１２のキー操作をして、図６（ｂ）の画面に示すような検索キーワード、この例では「ちゃくしんおん」を枠６１に入力し、その後、ユーザーはこの図６（ｂ）の画面の変換ボタン６３を押して、仮名漢字変換する。
【００３６】
制御部２１はステップＳ４で、検索キーワードの入力を検出したかどうかを判断し、検出しない場合はステップＳ３の処理に戻る。検索キーワードの入力を検出した場合は、ステップＳ５に進んで、入力検索キーワードを日本語変換プログラムにより仮名漢字変換し、図６（ｃ）の画面に示すように表示する。
【００３７】
この例では、最初から「着信音」が表示されるが、仮名漢字変換候補が複数表示された場合、ユーザーは該当の仮名漢字変換候補を選択して確定する。制御部２１はステップＳ６で、仮名漢字変換候補の選択待ちを行い、選択されると、図６（ｃ）の画面に示すように確定した変換文字列を表示する。この図６（ｃ）に示した画面を見たユーザーは仮名漢字変換結果がそれで良い場合は、画面下部の決定ボタン６４を押す。
【００３８】
これを受けて、制御部２１はステップＳ７で、ＲＯＭ３２のエリア３２５に格納されている図４に示すようなサブ辞書を参照し、ステップＳ８で日本語変換されたキーワードに対応する制御内容があるかどうかを判断し、ない場合はステップＳ１２に進んで、表示部１１にエラー表示をしてステップＳ３の処理に戻る。
【００３９】
日本語返還された検索キーワードに対応する制御内容がある場合、上記例では「着信音」に対応して「着信設定モードに移行」という制御内容があるため、制御部２１はステップＳ９で、ＲＯＭ３２のモードフラグエリアから無線通信端末１を着信設定モードにするためのモードフラグを読み出し、これによってステップＳ１０で表示部１１に図６（ｄ）に示すような画面を表示して、無線通信端末１を着信設定モードにする。この例の着信設定モードの画面には、「着信音量」、「メロディ設定」、「キー操作音」等の複数の設定項目が表示される。
【００４０】
ユーザーはこの着信設定モードを見て、所望の設定項目の選択をキー操作部１２のキー操作をして行うため、制御部２１はステップＳ１１で、上記キー操作により選択された設定項目に対応する各種モードの設定処理を行う動作に移行する。例えば、着信音量という設定項目が選択された場合は、着信音量を設定する処理が行われることになる。
【００４１】
本実施の形態によれば、ユーザーは設定したいモードに関わる検索キーワードを入力するだけで、無線通信端末１を所望の設定モードにすることができる。それ故、無線通信端末１を機能設定モードに移行するための操作を覚えておかなくとも容易に所望の機能設定モードとすることができ、目的の設定を手間なく且つ短時間で行うことができる。
【００４２】
図７は、本発明の第２の実施の形態に係る無線通信端末内蔵のＲＯＭの構成例を示した模式図である。但し、本例の構成は上記した第１の実施の形態と同様であるため、以下同一の構成を持つ各部については、その構成動作の説明を省略し、以下、その動作の特徴部分を説明する。
【００４３】
図７に示すように本実施の形態のＲＯＭ３２に格納されているサブ辞書はひらがな文字列の検索キーワードに対応する制御内容が記載されている。例えば、検索キーワードが、「ちゃくしんおんｏｒちゃくめろ」に対応して、「着信設定モードへ移行」という制御内容が記載され、「ばいぶｏｒばいぶれーた」に対応して、「バイブレータＯＮ／ＯＦＦ設定モードへ移行」という制御内容が記載されている。
【００４４】
従って、本実施の形態で着信音量を設定したい場合、検索キーワードとしてひらがな文字列の「ちゃくしんおん」を入力すると、制御部２１は図７に示したサブ辞書を検索し、無線通信端末１を直ちに着信設定モードにすることができる。
【００４５】
本実施の形態によれば、第１の実施の形態のように、検索キーワードをひらがなで入力した後、仮名漢字変換することなく、入力したひらがなの検索キーワードに対応する制御内容に従って、無線通信端末１を直ちに対応する機能設定モードに移行させることができ、その分、制御部２１の負担を軽減させることができる。他の効果は第１の実施の形態と同様である。
【００４６】
図８は、本発明の第３の実施の形態に係る無線通信端末を含む通信ネットワークの構成例を示したブロック図である。インターネット（ＷＷＷ）６０上にメーカＡユーザーサポートサイト４１、メーカＢユーザーサポートサイト４２、メーカＣユーザーサポートサイト４３が在り、インターネット（ＷＷＷ）６０に通信サービス事業者のゲートウエイサーバ４４が接続されている。更に、通信サービス事業者のゲートウエイサーバ４４は無線基地局４６、４７に接続されている。
【００４７】
メーカＡユーザーサポートサイト４１はサブ辞書データベース４１１を、メーカＢユーザーサポートサイト４２はサブ辞書データベース４１２を、メーカＣユーザーサポートサイト４３はサブ辞書データベース４１３を有している。また、通信サービス事業者のゲートウエイサーバ４４は加入者データベース４４１とサポートデータベース４４２を接続している。
【００４８】
但し、無線通信端末１の構成は図２に示した第１の実施の形態と同様で、ＲＯＭ３２の構成例も図３に示した第１の実施の形態と同様であり、以下同一の構成を持つ各部については、その構成動作の説明を省略する。従って、本例の無線通信端末１も設定したいモードに関わる検索キーワードを入力することで、端末１を所望の設定モードにする機能を有している。以下、その動作の特徴部分を説明する。
【００４９】
図９は図８に示した加入者データベース４４１の格納例を示した模式図である。加入者データベース４４１には、レコードＮｏに対応して、加入者氏名、旧ＩＤ、現ＩＤ、携帯電話機の電話番号、加入者連絡先・支払い方法等の情報が格納されている。ここで、例えばレコードＮｏ、００１に対して、加入者氏名は山田Ｏ男で、このユーザーが以前に持っていた旧機種の無線通信端末のＩＤ（旧ＩＤ）は「Ａ００１ＸＸＸ０１２３」で、このユーザーが今回持った新機種の無線通信端末１のＩＤ（現ＩＤ）は「Ｂ００２ＸＸＸ０１２３」であることが分かる。
【００５０】
図１０は図８に示したサポートデータベース４４２の格納例を示した模式図である。サポートデータベース４４２には、上記した旧ＩＤの上位４桁部分対応で、無線通信端末１のメーカー名、型番及びサブ辞書サイト（ＵＲＬ）が格納されている。
【００５１】
本図において、ＩＤとは無線通信端末１がネットワークに接続するためのＩＤ情報を指し、上位４桁のＩＤの内、上位２桁はメーカー名、下位２桁は型番を示すものである。尚、旧ＩＤとは、ユーザーが以前使用していた機種のＩＤを示すもので、機種変更する毎に書きかえられるものであり、現ＩＤとは、ユーザーが現在持っている新機種のＩＤのことである。
【００５２】
次に本実施の形態の動作について図１１に示したフローチャートを参照して説明する。無線通信端末１のキー操作部１２の電源ボタンを操作して端末の電源をオンにすると、制御部２１はステップＴ０１で電源オンを検出すると、ステップＴ０２でＲＯＭ３２のユーザー登録エリア３２１を検索し、ステップＴ０３でこのエリアに所定のフラグ（データ）が書き込まれているかどうかを判定し、書き込まれている場合は処理を終了する。
【００５３】
ユーザー登録エリア３２１に所定のフラグが書き込まれていない場合はステップＴ０４に進んで、制御部２１は表示部１１にサブ辞書のダウンロード指示をして、ユーザーにインターネット６０への接続要求を行う。
【００５４】
この表示を見たユーザーは、キー操作部１２のキーを操作してインターネット６０への接続要求操作を行うため、制御部２１はステップＴ０５でインターネット６０への接続要求を検出したかどうかを判断し、検出した場合はシステムＲＯＭ２３に格納されている自端末のＩＤを読み出し、このＩＤを無線信号処理部３０、無線送受信部２９から基地局４６経由で通信サービス事業者のゲートウエイサーバ４４に送信した後、ステップＴ０７に進んで、サブ辞書のダウンロード指示を表示部１１に表示すると共に、このダウンロードのためのサイト接続要求表示を行う。
【００５５】
一方、ステップＴ０５で、インターネット６０への接続要求を検出しない場合はステップＴ０６に進んで、サブ辞書のダウンロードをユーザーがキャンセルしたかどうかを判断し、キャンセルしない場合はステップＴ０４の処理に戻り、キャンセルした場合はステップＴ１０に進む。
【００５６】
制御部２１はステップＴ１０で、ＲＯＭ３２のサブ辞書格納エリア３２５にサブ辞書のダウンロードはせず、そのままこの無線通信端末１に最初から搭載されているサブ辞書を使用することを示す所定のフラグをユーザー情報登録エリア３２１に書き込んで処理を終了する。
【００５７】
通信サービス事業者のゲートウエイサーバ４４は、無線通信端末１から送信されたＩＤを受信すると、ステップＵ０１でこのＩＤ（現ＩＤ）をキーとして加入者データベース４４１を検索し、該当する加入者が存在するかどうかを確かめ、存在する場合はステップＵ０２で、旧ＩＤの上位４桁をキーとしてサポートデータベース４４２を検索し、この無線通信端末１の型番及びサブ辞書サイトのＵＲＬを読み出して、これら情報を無線通信端末１に送信する。
【００５８】
無線通信端末１はアンテナ１５及び無線送受信部２９を介して上記メーカ型番及びメーカユーザーサポートサイト（サブ辞書サイト）のＵＲＬを受信すると、制御部２１はステップＴ０８で、受信したメーカ型番及びサブ辞書サイトのＵＲＬを図１２に示すように表示部１１に表示して、サブ辞書のダウンロード指示をユーザーに行う。
【００５９】
ここで、図１２に示したサブ辞書データのダウンロード画面は、ユーザーが画面下部のＹｅｓ／Ｎｏのいずれかを選択すると、選択した方に下線が引かれ、更にそれで良い場合に決定ボタン６５を押す。例えば、ユーザーがＹｅｓを選択し、決定ボタン６５を押すと、サブ辞書をダウンロードするという指示が制御部２１に入力されることになる。
【００６０】
制御部２１は、ステップＴ０９でダウンロード指示（Ｙｅｓ）を検出したかどうかを判断し、検出した場合は、上記受信したＵＲＬを無線送信部２９から送信した後、ステップＴ１１に進み、検出しない場合はステップＴ１０に進む。制御部２１はステップＴ１０でサブ辞書をダウンロードしないことを示す所定のフラグをＲＯＭ３２のユーザー情報登録エリア３２１に書き込んで、処理を終了する。
【００６１】
無線通信端末１は図１２でＹｅｓが選択されると、上記ＵＲＬの送信により、無線基地局４６、通信サービス事業者のゲートウエイサーバ４４、インターネット６０を介して例えばメーカＡユーザーサポートサイト４１にアクセスして、サブ辞書のダウンロード要求を行う。これにより、メーカＡユーザーサポートサイト４１はステップＶ０１でサブ辞書データベース４１１から該当のサブ辞書ファイルを読み出して無線通信端末１に送信する。無線通信端末１の制御部２１はステップＴ１１で、アンテナ１５及び無線送信部２９で受信したサブ辞書データをＲＯＭ３２のサブ辞書格納エリア３２５の格納して処理を終了する。
【００６２】
本実施の形態によれば、ユーザーが検索キーワードを入力すれば機能設定モードになる無線通信端末を使用していて、それを同様の機能を有する新機種の無線通信端末１に変更した際には、名称が異なる機能設定モードなどの検索が今まで使い慣れた検索キーワードでは困難になる。従って、機種変更した際には、ユーザーは新たに検索キーワード等をモード名と対応付けて学習しなければならなくなり、使い勝手が悪化するが、本例では使い慣れている旧バージョンの無線通信端末と同一のサブ辞書をインターネット６０上からダウンロードして、再度このサブ辞書を用いた検索キーワードによる機能設定モード移行制御を行うことができるため、新機種でも、使い慣れた検索キーワードを用いて所望の設定モードにすることができ、無線通信端末１の使い勝手を向上させることができる。
【００６３】
尚、本実施の形態の加入者データベース４４１では、図９に示すように現ＩＤに対応する旧ＩＤを一つだけ記載してあるが、更に古いバージョンの旧ＩＤを複数記載して、それに対応するサブ辞書をダウンロードできるようにすることもできる。
【００６４】
また、ＲＯＭ３２内のサブ辞書領域を旧バージョンのサブ辞書データで書き替える場合、新バージョンの新機能に関わるサブ辞書データ領域は書き換え不能にして、新しい検索キーワードを入力することにより、新機種の無線通信端末１の新機能の設定モードにも、移行できるようにすることもできる。
【００６５】
更に、上記実施の形態で説明した機能設定モードの検索動作手順をプログラムとしてプログラム化し、コンピュータに実行させることにより実施できる。その際、コンピュータプログラムはフレキシブルディスクやハードディスク等のディスク型記録媒体、半導体メモリやカード型メモリ等の各種メモリ、或いは通信ネットワーク等の各種プログラム記録媒体を通じてコンピュータに供給することができる。
【００６６】
また、本発明は上記実施の形態に限定されることなく、その要旨を逸脱しない範囲において、具体的な構成、機能、作用、効果において、他の種々の形態によっても実施することができる。上記実施の形態では、携帯電話機について本発明を適用した例について述べたが、各種機能を有するＰＤＡや携帯型のパソコン等の各種携帯型の無線通信端末に本発明を適用して同様の効果を得ることができる。更に、本発明は無線通信端末以外でも、各種機能を有する電子機器に広く応用できる。例えば、最近の高機能のデジタル放送受信機能を有するテレビジョン受像機などにも応用し、同様の効果を得ることができる。
【００６７】
【発明の効果】
以上詳細に説明したように、請求項１に記載の発明によれば、装置を機能設定モードにする操作を覚えていなくとも、検索キーワードを入力するだけで、装置を簡単且つ迅速に所望の機能設定モードにすることができる。
請求項２、６に記載の発明によれば、機能設定モードにする操作を覚えていなくとも、検索キーワードとしてひらがな文字列を入力するだけで、装置を簡単且つ迅速に所望の機能設定モードにすることができる。
請求項３、４に記載の発明によれば、機能設定モードにする操作を覚えていなくとも、検索キーワードとしてひらがな文字列を入力し、これを仮名漢字文字列に変換するだけで、装置を簡単且つ迅速に所望の機能設定モードにすることができる。
請求項５、７に記載の発明によれば、検索キーワードと移行すべき設定モードを辞書で検索して決定するため、辞書データを変えるだけで新たな機能に対応でき、新たな検索キーワードと移行すべき新たな設定モードを容易に設定することができる。
請求項８に記載の発明によれば、新機種の装置に変更した後も、使い慣れた旧機種の検索キーワードをそのまま用いて装置を所望の設定モードにすることができる。
請求項９に記載の発明によれば、旧機種の検索キーワードをそのまま用いることができ且つ、検索キーワードを入力するだけで、新機種の装置に新たに加わった新機能を設定する機能設定モードに電子機器を移行させることができる。
【図面の簡単な説明】
【図１】本発明の第１の実施の形態に係る無線通信端末の構成例を示した平面図と背面図である。
【図２】図１に示した無線通信端末の回路構成例を示した回路図である。
【図３】図２に示したＲＯＭの構成例を示した模式図である。
【図４】図３に示したサブ辞書格納エリアに格納されている情報例を示した模式図である。
【図５】図１に示した無線通信端末の機能設定モードの検索動作手順を示したフローチャートである。
【図６】図１に示した無線通信端末の機能設定モードに検索動作時の表示画面例を示した図である。
【図７】本発明の第２の実施の形態に係る無線通信端末内蔵のＲＯＭの構成例を示した模式図である。
【図８】本発明の第３の実施の形態に係る無線通信端末を含む通信ネットワークの構成例を示したブロック図である。
【図９】図８に示した加入者データベースの格納情報例を示した模式図である。
【図１０】図８に示したサポートデータベースの格納情報例を示した模式図である。
【図１１】図８に示した無線通信端末のサブ辞書ダウンロード動作手順を示したフローチャートである。
【図１２】図８に示した無線通信端末に表示される受信したメーカ型番及びサブ辞書サイトのＵＲＬの画面例を示した図である。
【符号の説明】
１  無線通信端末
１１  表示部
１２  キー操作部
１３  マイク
１４  スピーカ
１５  アンテナ
１６  サブ表示部
１７  報知用ＬＥＤ
１８  撮影レンズ
１９  報知用スピーカ
２１  制御部
２２  ＲＡＭ
２３  システムＲＯＭ
２４  キー入力部
２５、３３  表示ドライバ
２６  音源回路部
２７  振動発生器
２８  ドライバ
２９  無線送受信部
３０  無線信号処理部
３１  音声信号処理部
３２  ＲＯＭ
３４  撮像部
３５  ＤＳＰ
４１  メーカＡユーザーサポートサイト
４２  メーカＢユーザーサポートサイト
４３  メーカＣユーザーサポートサイト
４４  通信サービス事業者のゲートウエイサーバ
４６、４７  無線基地局
５０  バス
６０  インターネット（ＷＷＷ）
１２１  ヘルプキー
４１１、４１２、４１３  サブ辞書データベース
４４１  加入者データベース
４４２  サポートデータベース
【図１】
2004208196.tif 000003
【図２】
2004208196.tif 000004
【図３】
2004208196.tif 000005
【図４】
2004208196.tif 000006
【図５】
2004208196.tif 000007
【図６】
2004208196.tif 000008
【図７】
2004208196.tif 000009
【図８】
2004208196.tif 000010
【図９】
2004208196.tif 000011
【図１０】
2004208196.tif 000012
【図１１】
2004208196.tif 000013
【図１２】
2004208196.tif 000014